(57)【要約】      （修正有）【課題】接続対象物（ＦＰＣ等）の引き回しによって、アクチュエータのロック機能や接続対象物とコンタクトとの接触部に悪影響を与えないように、また、取付けや接続対象物の接続時での制限がなくなるコネクタを提供する。【解決手段】ハウジング２と、上記ハウジング内に離間並設され、接続対象物７に接触するアームを備える複数のコンタクト４と、上記ハウジング２に回動可能に枢支され、該ハウジングの上部に位置する非作動位置と側部に位置する作動位置との間で回動され、上記コンタクト４のアームを押圧するアクチュエータ５,６と、上記ハウジング２の上部において、該ハウジングの壁により４面を囲んで形成され、上記接続対象物が挿入される挿入口とを備えて成り、上記挿入口に接続対象物７を挿入して、引き回しに影響されない上記アクチュエータ５,６のどちらかを作動位置に回動して上記コンタクト４のアームを接続対象物に押圧する。【選択図】図６
2006278320.tif 000002
【特許請求の範囲】
【請求項１】
ハウジングと、
上記ハウジング内に離間並設され、接続対象物に接触するアームを備える複数のコンタクトと、
上記ハウジングに回動可能に枢支され、該ハウジングの上部に位置する非作動位置と側部に位置する作動位置との間で回動され、上記コンタクトのアームを押圧するアクチュエータと、
上記ハウジングの上部において、該ハウジングの壁により４面を囲んで形成され、上記接続対象物が挿入される挿入口とを備えて成り、
上記挿入口に接続対象物を挿入して、上記アクチュエータを作動位置に回動して上記コンタクトのアームを接続対象物に押圧することにより、該接続対象物を上記コンタクトに電気的に接続させると共に、上記作動位置にあるアクチュエータが接続対象物の引き回しにより干渉されないことを特徴とするコネクタ。
【請求項２】
上記コンタクトのアームが、該コンタクトの基板と一体の外側アームと内側アームを有する略Ｕ字部から成り、
上記外側アームがアクチュエータにより押圧されると、上記内側アームの自由端が接続対象物と接触することを特徴とする請求項２に記載のコネクタ。
【請求項３】
上記コンタクトが第１及び第２のコンタクトの組合せから成り、
上記第１及び第２のコンタクトの各アームの形状が異なっていることを特徴とする請求項１又は請求項２に記載のコネクタ。
【請求項４】
ハウジングと、
上記ハウジング内に離間並設され、接続対象物にその両側面で接触する離間対向する一対のアームを備える複数のコンタクトと、
上記ハウジングに回動可能に枢支され、該ハウジングの上部に位置する非作動位置と側部に位置する作動位置との間で回動され、上記コンタクトの一対のアームをそれぞれ押圧する一対のアクチュエータと、
上記ハウジングの上部において、該ハウジングの壁により４面を囲んで形成され、上記接続対象物が挿入される挿入口とを備えて成り、
上記挿入口に接続対象物を挿入して、上記一対のアクチュエータの一方を作動位置に回動して上記コンタクトの一対のアームの一方を接続対象物に押圧することにより、該接続対象物を上記コンタクトに電気的に接続させると共に、上記作動位置にある一方のアクチュエータが接続対象物の引き回しにより干渉されないことを特徴とするコネクタ。
【請求項５】
上記ハウジングの上部に形成された挿入口が、上記一対のアクチュエータが共に非作動位置にあるとき、該両アクチュエータの間にあることを特徴とする請求項４に記載のコネクタ。
【請求項６】
上記コンタクトの一対のアームのそれぞれが、該コンタクトの基板と一体の外側アームと内側アームを有する略Ｕ字部から成り、
上記外側アームがアクチュエータにより押圧されると、上記内側アームの自由端が接続対象物と接触することを特徴とする請求項４又は請求項５に記載のコネクタ。
【請求項７】
上記コンタクトが第１及び第２のコンタクトの組合せから成り、
上記第１及び第２のコンタクトの各一対のアームの形状が異なっていることを特徴とする請求項４〜請求項６のいずれかに記載のコネクタ。
【請求項８】
上記コンタクトに電気的に接続された接続対象物の引き回し方向に応じて、上記一対のアクチュエータのうち一方を作動位置へ回動させることを特徴とする請求項４〜請求項７のいずれかに記載のコネクタ。
【発明の詳細な説明】
【技術分野】
【０００１】
本発明は、フレキシブルプリント基板（ＦＰＣ）やフレキシブルフラットケーブル（ＦＦＣ）のような接続対象物用のコネクタに関する。
【背景技術】
【０００２】
接続対象物（ＦＰＣ又はＦＦＣ等）用のコネクタは、プリント配線基板に半田付けされており、該基板と接続対象物とを電気的に接続する働きをする。このコネクタは、ハウジングと、ハウジング内に形成された複数のコンタクトと、このコンタクトと接続対象物との接触（圧接）を確保するアクチュエータ（ロック部材ともいう）とから成る基本構成を有し、縦形と横形に大別される。
【０００３】
縦形のコネクタの例が、実開平７−１９９７８号公報に開示されている。図１０に示されているように、この従来例のコネクタ３０では、内部空間３３を有するベース部材３１の上部開口３２からＦＰＣ３７を挿入し、次いで、半円筒形の隆起部３５を有するロック部材３４を上記ＦＰＣ３７の側面に沿うように上記上部開口３２から挿入し、上記隆起部３５によって該ベース部材の内部空間３３内に設けられている複数の接点に対してＦＰＣ３７を圧接することにより、該ＦＰＣ上の各リード線３８を上記それぞれの接点に電気的に接続する。なお、図１０での符号３６は、上記各接点から導出されて外部に突出する複数の端子である。
【０００４】
【特許文献１】実開平７−１９９７８号公報
【発明の開示】
【発明が解決しようとする課題】
【０００５】
上記特許文献１に記載された従来例では、ＦＰＣ３７がロック部材３４に直に接して配置されているから、ＦＰＣ３７の引き回しによりロック部材３４が干渉を受けて外れたり、ＦＰＣ３７のリード線３８と接点との接触部に影響を与えて、接続不良を発生することがある。
また、ベース部材３１に対するロック部材３４の位置が決められており、即ち、ベース部材３１の上部開口３２へのロック部材３４の挿入位置が予め決められていることから、ＦＰＣ３７の引き回し方向によってコネクタ３０のプリント配線基板への実装方向が制限される。さらに、ＦＰＣ３７と接点の接触位置が予め決められているので、ＦＰＣ３７の挿入向きが制限される。
これによって、コネクタのプリント配線基板への取付けやＦＰＣの接続時での制限が多く、これらの作業効率を悪くしている。
【０００６】
そこで、本発明の技術的課題は、上述の従来技術の不具合を解決するために、接続対象物（ＦＰＣ等）の引き回しによって、アクチュエータ（ロック部材）のロック機能や接続対象物とコンタクト（接点）との接触部に悪影響を与えないように、また、コネクタのプリント配線基板への取付けや接続対象物の接続時での制限がなくなるように、ハウジング（ベース部材）における接続対象物の挿入口、アクチュエータ、及びコンタクトについて工夫することである。
【課題を解決するための手段】
【０００７】
本発明によるコネクタは、上記課題を解決するために、接続対象物をコンタクトに電気的に接続させるアクチュエータが、挿入口に挿入された接続対象物の引き回しによって、干渉を受けないようにすることを基本とするものである。
【０００８】
本発明によるコネクタは（請求項１に対応）、ハウジングと、上記ハウジング内に離間並設され、接続対象物に接触するアームを備える複数のコンタクトと、上記ハウジングに回動可能に枢支され、該ハウジングの上部に位置する非作動位置と側部に位置する作動位置との間で回動され、上記コンタクトのアームを押圧するアクチュエータと、上記ハウジングの上部において、該ハウジングの壁により４面を囲んで形成され、上記接続対象物が挿入される挿入口とを備えて成り、
上記挿入口に接続対象物を挿入して、上記アクチュエータを作動位置に回動して上記コンタクトのアームを接続対象物に押圧することにより、該接続対象物を上記コンタクトに電気的に接続させると共に、上記作動位置にあるアクチュエータが接続対象物の引き回しにより干渉されないことである。
【０００９】
このように構成することにより、接続対象物を挿入口に挿入し、アクチュエータを作動位置に回動させることによって、該接続対象物をコンタクトに電気的に接続したときは、アクチュエータはハウジングの側部に位置することになる。一方、挿入口に挿入されている接続対象物は、ハウジングの上部において４面を壁により囲まれているので、作動位置にあるアクチュエータとは充分に隔離されており、上記挿入口から導出している接続対象物が変位してもアクチュエータに接触することはない。
したがって、作動位置にあるアクチュエータは、コネクタに接続された接続対象物の引き回しによって干渉を受けることはない。
【００１０】
また、上記コネクタにおいて、コンタクトのアームが、該コンタクトの基板と一体の外側アームと内側アームを有する略Ｕ字部から成り、
上記外側アームがアクチュエータにより押圧されると、上記内側アームの自由端が接続対象物と接触することができる。（請求項２に対応）
このような構成により、内側アームの自由端が接続対象物に対して、安定した接触圧を確実に得ることができる。
【００１１】
また、上記コネクタにおいて、コンタクトが第１及び第２のコンタクトの組合せから成り、上記第１及び第２のコンタクトの各アームの形状が異なっていることである。（請求項３に対応）
このような構成により、第１及び第２のコンタクトの各アームの接続対象物に対する接触位置を、それぞれのコンタクト毎に変えることができる。
【００１２】
本発明によるコネクタは（請求項４に対応）、ハウジングと、上記ハウジング内に離間並設され、接続対象物にその両側面で接触する離間対向する一対のアームを備える複数のコンタクトと、上記ハウジングに回動可能に枢支され、該ハウジングの上部に位置する非作動位置と側部に位置する作動位置との間で回動され、上記コンタクトの一対のアームをそれぞれ押圧する一対のアクチュエータと、上記ハウジングの上部において、該ハウジングの壁により４面を囲んで形成され、上記接続対象物が挿入される挿入口とを備えて成り、
上記挿入口に接続対象物を挿入して、上記一対のアクチュエータの一方を作動位置に回動して上記コンタクトの一対のアームの一方を接続対象物に押圧することにより、該接続対象物を上記コンタクトに電気的に接続させると共に、上記作動位置にある一方のアクチュエータが接続対象物の引き回しにより干渉されないことである。
【００１３】
このように構成することにより、接続対象物を挿入口に挿入して、一方のアクチュエータを作動位置に回動させて、接続対象物をコンタクトに電気的に接続したときは、該一方のアクチュエータはハウジングの側部に位置することになる。一方、挿入口に挿入されている接続対象物は、ハウジングの上部において４面を壁により囲まれているので、作動位置にある一方のアクチュエータとは充分に隔離されており、挿入口から導出している接続対象物が変位しても上記一方のアクチュエータに接触することはない。
したがって、上記一方のアクチュエータは、コネクタに接続された接続対象物の引き回しによって干渉を受けることはない。
また、一対のアクチュエータが設けられると共に、各コンタクトは一対のアームを備えているので、上記一対のアクチュエータの内どちらか一方のアクチュエータを回動し、それに対応する一方のアームを押圧することによって、接続対象物をコンタクトに接続することができるので、プリント回路基板に対するコネクタの実装方向、コネクタに接続された接続対象物の引き回し方向、及びコネクタの挿入口への接続対象物の挿入向きが、制限を受けることはない。
【００１４】
また、上記コネクタにおいて、ハウジングの上部に形成された挿入口が、一対のアクチュエータが共に非作動位置にあるとき、該両アクチュエータの間にあってもよい。（請求項５に対応）
【００１５】
また、上記コネクタにおいて、コンタクトの一対のアームのそれぞれが、該コンタクトの基板と一体の外側アームと内側アームを有する略Ｕ字部から成り、上記外側アームがアクチュエータにより押圧されると、上記内側アームの自由端が接続対象物と接触することになる。（請求項６に対応）
このような構成により、内側アームの自由端が接続対象物に対して、安定した接触圧を確実に得ることができる。
【００１６】
また、上記コネクタにおいて、コンタクトが第１及び第２のコンタクトの組合せから成り、上記第１及び第２のコンタクトの各一対のアームの形状が異なっていてもよい。（請求項７に対応）
このような構成により、第１及び第２のコンタクトの各アームの接続対象物に対する接触位置を、それぞれのコンタクト毎に変えることができる。
【００１７】
また、上記コネクタにおいて、コンタクトに電気的に接続された接続対象物の引き回し方向に応じて、一対のアクチュエータのうち一方を作動位置へ回動させることができる。（請求項８に対応）
このような構成により、接続対象物の引き回し方向に応じて、一対のアクチュエータのうち回動操作の容易な側のアクチュエータを作動位置とすることができるので、接続対象物の引き回し方向が制限されることはなく、接続作業を効率よく行うことができる。
【発明の効果】
【００１８】
本発明によれば、作動位置にあるアクチュエータと、ハウジングの挿入口に挿入されている接続対象物は充分に隔離されており、作動位置にあるアクチュエータが接続対象物の引き回しにより干渉されることはないので、アクチュエータの外れ（ロック解除）やコンタクトのアームと接続対象物が接触する接触部への影響が生じることはない。したがって、コネクタと接続対象物との間で接続不良が発生することはない。
【００１９】
また、コネクタは一対のアクチュエータを備えると共に、コンタクトはこれらの各アクチュエータによってそれぞれ独立して押圧される一対のアームを備えており、一対のアクチュエータの内のどちらか一方を作動位置に回動させることによって、接続対象物をコネクタに接続することができるので、プリント回路基板に対するコネクタの実装方向、コネクタに接続された接続対象物の引き回し方向、及びコネクタの挿入口への接続対象物の挿入向きについて、制限を解消することができる。
したがって、プリント回路基板へのコネクタの実装作業や、コネクタへの接続対象物の接続作業を効率よく行うことが可能である。
【発明を実施するための最良の形態】
【００２０】
以下に、本発明の実施例１及び実施例２によるコネクタについて、図１〜図９を参照しながら説明する。実施例１のコネクタは、アクチュエータ（ロック部材）を片側に備えるものであり、実施例２のコネクタはアクチュエータを両側に備えると共に、接続対象物（ＦＰＣ又はＦＦＣ等）の両側面に対してコンタクトのアームの自由端を選択的に圧接させることが可能なものである。
【実施例１】
【００２１】
先ず、本発明の実施例１のコネクタについて、図１〜図４を参照しながら説明する。図１及び図２はコネクタの斜視図であり、図３及び図４はコネクタのコンタクト部分での断面図である。
この実施例１のコネクタ１は、図１に示すように、大略直方体形状をした縦形の合成樹脂製のハウジング２と、該ハウジング２内に配設されて第１（奇数又は偶数番目）及び第２（偶数又は奇数番目）の極を形成する離間並設された複数の第１のコンタクト３,３…、及び複数の第２のコンタクト４,４…と、上記ハウジング２の片側に回動可能に枢支されるアクチュエータ５を備えて成るものである。
上記ハウジング２は、対向端壁部２ａ,２ｂと対向側壁部２ｃ,２ｄを備えており、その頂部には接続対象物（ＦＰＣ又はＦＦＣ等）７を該ハウジング２内に挿入して、上記第１及び第２のコンタクト３,４に接触させるための挿入口８が形成されている。
【００２２】
上記第１のコンタクト（奇数番目の極）３は、図３(ａ)に示されているように、上方が開放されている略Ｕ字状の基板２３と、この基板２３の底部に一体に形成された略Ｕ字部１０とを有している。この略Ｕ字部１０は外側アーム１２と内側アーム１６から成り、この外側アーム１２はアクチュエータ５に形成されたカム１４に当接し、該内側アーム１６はその自由端が接続対象物７に接触する接点を形成する。
上記カム１４は、略Ｕ字状の基板２３の対向側部２３ａと外側アーム１２との間に配置され、図３(ｂ)に示すように、アクチュエータ５を作動位置（ロック位置）へ回動させることにより、該カム１４が略Ｕ字部１０の外側アーム１２を内方側へ押圧するので、内側アーム１６の自由端が接続対象物７の一側面の接点へ接触される接触圧を確保することができる。このような内側アーム１６の接続対象物７への接触圧により、コネクタ１からの接続対象物７の抜け出しを防止することができる。
【００２３】
上記第２のコンタクト（偶数番目の極）４は、図４(ａ)に示されているように、上方が開放されている略Ｕ字状の基板２４と、この基板２４の底部に一体に形成されたアーム１９を有しており、このアーム１９の自由端は接続対象物７に接触する接点を形成している。
上記カム１４は、略Ｕ字状の基板２４の対向側部２４ａとアーム１９との間に配置され、図４(ｂ)に示すように、アクチュエータ５を作動位置へ回動させることにより、該カム１４がアーム１９を内方側に押圧するので、該アーム１９の自由端が接続対象物７の一側面の接点へ接触される接触圧を確保することができる。
【００２４】
また、上記ハウジング２の頂部に形成されている挿入口８は、一側（アクチュエータの設けられていない側）の対向側壁部２ｄ及び両側の対向端壁部２ａ,２ｂの上側部分と、該ハウジング２の一部として略Ｕ字部１０の上側に形成された中間壁部２ｅとによって構成されている。即ち、この挿入口８は、ハウジング２の頂部において、該ハウジング２を形成する４つの壁の内側面に囲まれて構成されているので、該挿入口８に挿入された接続対象物７を作動位置（ロック位置）にあるアクチュエータ５から隔離することができる。
このような構成によって、作動位置にあるアクチュエータ５は、挿入口８に挿入されて接続される接続対象物７の引き回しによっても、干渉を受けることはない。
【００２５】
次に、実施例１のコネクタ１に対して接続対象物７を接続する場合の動作について、図１〜図４を参照しながら説明する。
最初に、アクチュエータ５をハウジング２の頂部側に回動させた非作動位置（アンロック位置）の状態にして（図１）、接続対象物７を挿入口８を通してハウジング２の内部まで挿入する（図２(ａ)）。次いで、アクチュエータ５をハウジング２の対向側壁部２ｃ側へ回動させて作動位置（ロック位置）とすることにより、該接続対象物７をコネクタ１に接続することができる（図２(ｂ)）。
上記アクチュエータ５が、非作動位置（図３(ａ)、図４(ａ)）から作動位置（図３(ｂ)、図４(ｂ)）へ回動されると、カム１４は反時計方向に回動されて、第１のコンタクト３の外側アーム１２及び内側アーム１６と、第２のコンタクト４のアーム１９を内方側へ押圧する。これによって、上記内側アーム１６とアーム１９の各自由端は接続対象物７の一側面のそれぞれの接点に押圧されて、該接続対象物７を上記第１及び第２のコンタクト３,４に電気的に接続することができる。
【００２６】
このようにして、プリント配線基板上のコネクタ１に接続された接続対象物７は、該コネクタの挿入口８に挿入され周囲を４面の壁に囲まれることにより、作動位置にあるアクチュエータ５から隔離されているので、接続対象物７の引き回しによってもアクチュエータ５に接触する恐れはなく、該クチュエータ５が外れて非作動位置に戻されたり、接続対象物７と第１及び第２のコンタクト３,４が接触する接触部に影響を及ぼすことはない。
【実施例２】
【００２７】
次に、本発明の実施例２のコネクタについて、図５〜図９を参照しながら説明する。図５〜図７はコネクタの斜視図であり、図８及び図９はコネクタのコンタクト部分での断面図である。
この実施例２のコンタクト１は、図５に示すように、大略直方体形状をした縦形の合成樹脂製のハウジング２と、該ハウジング２内に配設されて第１（奇数又は偶数番目）及び第２（偶数又は奇数番目）の極を形成する複数の第１のコンタクト３,３…、及び複数の第２のコンタクト４,４…と、上記ハウジング２の両側に回動可能に枢支される一対のアクチュエータ５,６を備えて成るものである。
上記ハウジング２は、対向端壁部２ａ,２ｂと対向側壁部２ｃ,２ｄを備えており、その頂部には接続対象物（ＦＰＣ又はＦＦＣ等）７を該ハウジング２内に挿入して、上記第１及び第２のコンタクト３,４に接触させるための挿入口８が形成されている。
【００２８】
上記第１のコンタクト（奇数番目の極）３は、図８に示されているように、上方が開放されている略Ｕ字状の基板９と、この基板９の底部に一体に形成された一対の略Ｕ字部１０,１１とを有している。この一対の略Ｕ字部１０,１１は、それぞれの外側アーム１２,１３と内側アーム１６,１７から成り、この外側アーム１２,１３は各アクチュエータ５,６に形成されたそれぞれのカム１４,１５に当接し、該内側アーム１６,１７はそれぞれの自由端が接続対象物７に接触する接点を形成する。
上記各カム１４,１５は、略Ｕ字状の基板９の対向側部９ａ,９ｂと外側アーム１２,１３との間に配置され、一方のアクチュエータ５を作動位置へ回動させることにより、カム１４が一方の略Ｕ字部１０の外側アーム１２を内方側へ押圧するので、内側アーム１６の自由端が接続対象物７の一側面の接点へ接触される接触圧を確保することができる。図８に示す例では、他方のアクチュエータ６は非作動位置を占める。
【００２９】
また、他方のアクチュエータ６を作動位置へ回動させると、カム１５が他方の略Ｕ字部１１の外側アーム１３を内方側へ押圧するので、内側アーム１７の自由端が接続対象物７の他側面の接点へ接触される接触圧を確保することができる。このような両方の内側アーム１６,１７の接続対象物７への接触圧により、コネクタ１からの接続対象物７の抜け出しを防止することができる。
【００３０】
上記第２のコンタクト（偶数番目の極）４は、図９に示されているように、上方が開放されている略Ｕ字状の基板１８と、この基板１８の底部に一体に形成された一対のアーム１９,２０から成る略Ｕ字部２１を有している。
上記アクチュエータ５のカム１４は、略Ｕ字状の基板１８の一方の対向側部１８ａとアーム１９との間に配置され、上記アクチュエータ６のカム１５は、基板１８の他方の対向側部１８ｂとアーム２０との間に配置される。これらのアーム１９,２０の自由端は、接続対象物７に接触する接点を形成している。
図９に示されているように、アクチュエータ５を作動位置へ回動させることにより、該カム１４が一方のアーム１９を内方側へ押圧するので、該アーム１９の自由端が接続対象物７の一側面の接点へ接触される接触圧を確保することができる。このとき、アクチュエータ６が非作動位置にあるので、他方のアーム２０はカム１５により元の位置を保持する。
【００３１】
また、上記アクチュエータ６を作動位置にへ回動させると、カム１５が他方のアーム２０を内方側へ押圧するので、該アーム２０の自由端が接続対象物７の他側面の接点へ接触される接触圧を確保することができる。このように両方のアーム１９,２０の接続対象物７への接触圧により、コネクタ１からの接続対象物７の抜け出しを防止することができる。
【００３２】
そして、上記ハウジング２の頂部に形成されている挿入口８は、両側の対向端壁部２ａ,２ｂの上側部分と、該ハウジング２の一部として一対の略Ｕ字部１０,１１の上側に形成された一対の中間壁部２ｅ,２ｆによって構成されている。即ち、この挿入口８は、ハウジング２の頂部において、該ハウジング２を形成する４つの壁の内側面に囲まれて構成されているので、該挿入口８に挿入された接続対象物７を作動位置にあるアクチュエータ５,６から隔離することができる。
このような構成によって、作動位置にあるアクチュエータ５,６は、挿入口８に挿入されて接続される接続対象物７のどちら側への引き回しによっても、干渉を受けることはない。
【００３３】
次に、実施例２のコネクタ１に対して接続対象物７を接続する場合の動作について、図５〜図９を参照しながら説明する。
最初に、両方のアクチュエータ５,６をハウジング２の頂部側に回動させた非作動位置の状態にして(図５)、接続対象物７を挿入口８を通してハウジング２の内部まで挿入する。次いで、上記一対のアクチュエータ５,６のうちの一方をハウジング２の対向側壁部２ｃ,２ｄの一側へ回動させて作動位置として、該接続対象物７をコネクタ１に接続するが、この接続対象物７の引き回し方向がＡ方向又はＢ方向の場合の例について、図６又は図７を用いて説明する。
【００３４】
図６に示すように、引き回し方向がＡ方向の場合には、一方のアクチュエータ５をハウジング２の対向側壁部２ｃ側へ回動させて作動位置として、接続対象物７の一側面の接点とコンタクト３,４とを接触させる。また、図７に示すように、引き回し方向がＢ方向の場合には、他方のアクチュエータ６を作動位置へと回動させて接続対象物７の他側面の接点とコンタクト３,４とを接触させる。
このように、コネクタ１の一対のアクチュエータ５,６は、いずれか一方を回動させて作動位置とすればよいので、接続対象物７の引き回し方向に関係なく、プリント配線基板へのコネクタ１の実装が可能となる。
また、ハウジング２内の各コンタクト３,４の内側アーム１６,１７とアーム１９,２０は接続対象物７の両側に形成されているので、挿入口８への接続対象物７の挿入向きの制限はない。
【００３５】
上記アクチュエータ５が、非作動位置から作動位置へ回動されると（図８、図９）、カム１４は反時計方向に回動されて、第１のコンタクト３の外側アーム１２及び内側アーム１６と、第２のコンタクト４のアーム１９を内方側へ押圧する。これによって、上記内側アーム１６とアーム１９の各自由端は接続対象物７の一側面のそれぞれの接点に押圧されて、該接続対象物７を上記第１及び第２のコンタクト３,４に電気的に接続することができる。
また、上記アクチュエータ６についても同様であって、このアクチュエータ６が、非作動位置（図８、図９）から作動位置へ回動されると、カム１５は時計方向に回動されて、第１のコンタクト３の外側アーム１３及び内側アーム１７と、第２のコンタクト４のアーム２０を内方側へ押圧する。これによって、上記内側アーム１７とアーム２０の各自由端は接続対象物７の他側面のそれぞれの接点に押圧されて、該接続対象物７を上記第１及び第２のコンタクト３,４に電気的に接続することができる。
【図面の簡単な説明】
【００３６】
【図１】は、本発明の実施例１によるコネクタの斜視図である。
【図２】は、同じく実施例１によるコネクタに接続対象物（ＦＰＣ等）を挿入した場合の斜視図であり、(ａ)はアクチュエータを作動させない場合、(ｂ)はアクチュエータを作動させた場合である。
【図３】は、同じく実施例１によるコネクタでの奇数極部分の断面図であり、(ａ)はアクチュエータを作動させない場合、(ｂ)はアクチュエータを作動させた場合である。
【図４】は、同じく実施例１によるコネクタでの偶数極部分の断面図であり、(ａ)はアクチュエータを作動させない場合、(ｂ)はアクチュエータを作動させた場合である。
【図５】は、本発明の実施例２によるコネクタの斜視図である。
【図６】は、同じく実施例２によるコネクタに接続対象物を挿入し、一方のアクチュエータを作動させた場合の斜視図である。
【図７】は、同じく実施例２によるコネクタに接続対象物を挿入し、他方のアクチュエータを作動させた場合の斜視図である。
【図８】は、同じく実施例２によるコネクタでの奇数極部分の断面図である。
【図９】は、同じく実施例２によるコネクタでの偶数極部分の断面図である。
【図１０】は、従来のコネクタと接続対象物（ＦＰＣ）を説明する斜視図である。
【符号の説明】
【００３７】
１…コネクタ                            ２…ハウジング
２ａ,２ｂ…対向端壁部                   ２ｃ,２ｄ…対向側壁部
２ｅ,２ｆ…中間壁部                     ３,４…コンタクト
５,６…アクチュエータ                   ７…接続対象物（ＦＰＣ、ＦＦＣ等）
８…挿入口                              ９,１８…(略Ｕ字状の)基板
９ａ,９ｂ,１８ａ,１８ｂ…対向側部       １０,１１…(コンタクトの)略Ｕ字部
１２,１３…外側アーム                   １４,１５…カム
１６,１７…内側アーム                   １９,２０…アーム
２１…(コンタクトの)略Ｕ字部            ２３,２４…(略Ｕ字状の)基板
２３ａ,２４ａ…対向側部
【図１】
2006278320.tif 000003
【図２】
2006278320.tif 000004
【図３】
2006278320.tif 000005
【図４】
2006278320.tif 000006
【図５】
2006278320.tif 000007
【図６】
2006278320.tif 000008
【図７】
2006278320.tif 000009
【図８】
2006278320.tif 000010
【図９】
2006278320.tif 000011
【図１０】
2006278320.tif 000012